(57)【要約】【課題】電線等から伝わってきた水がハウジング側に浸入しようとしても外に排水することができる電線カバー付きコネクタを提供する。【解決手段】電線４０に接続された端子４１が収容される端子収容室２２を有し、後面２１ｂから電線４０を引き出すハウジング２０と、ハウジング２０の後面２１ｂ側に装着される筒状の電線カバー３０と、を備えた電線カバー付きコネクタ１０であって、ハウジング２０の後面２１ｂの端子収容室２２の開口部２２ｂより下側から下面２１ｅの後側にかけて連通する水抜き通路Ａが設けられている。【選択図】図７
2020155305.tif 000002
【特許請求の範囲】
【請求項１】
電線に接続された端子が収容される端子収容室を有し、後面から電線を引き出すハウジングと、
前記ハウジングの後面側に装着される筒状の電線カバーと、
を備えた電線カバー付きコネクタであって、
前記ハウジングの後面の前記端子収容室の開口部より下側から下面の後側にかけて連通する水抜き通路が設けられていることを特徴とする電線カバー付きコネクタ。
【請求項２】
請求項１記載の電線カバー付きコネクタであって、
前記ハウジングの下面の後端には、前記電線カバーを取り付けるカバー取付突起が設けられ、
前記カバー取付突起には、水抜き孔が設けられ、
前記ハウジングの下面の後側には、前記水抜き孔に連通する水抜き穴が設けられ、
前記カバー取付突起の前記水抜き孔と前記ハウジングの下面の前記水抜き穴とで前記水抜き通路が構成されていることを特徴とする電線カバー付きコネクタ。
【請求項３】
請求項２記載の電線カバー付きコネクタであって、
前記カバー取付突起の前記水抜き孔は、補強リブにより分割形成され、
前記ハウジングの下面の前記水抜き穴も前記補強リブを境にして分割形成されていることを特徴とする電線カバー付きコネクタ。
【発明の詳細な説明】
【技術分野】
【０００１】
本発明は、電線カバー付きコネクタに関する。
【背景技術】
【０００２】
この種の電線カバー付きコネクタとして、特許文献１に開示されたものがある。この電線カバー付きコネクタ１は、図８、図９に示すように、電線７に接続された端子８が収容される端子収容室３を有し、後面２ａから電線７を引き出すハウジング２と、このハウジング２の後面２ａ側に装着される筒状の電線カバー４と、を備えている。この電線カバー４は、筒状のカバー本体５と、このカバー本体５にヒンジ５ａを介して設けられた一対の開閉部材６，６と、を有している。この一対の開閉部材６，６の内側面の後側には、蛇腹状のコルゲートチューブ９を係止する係止部６ａを有している。
【先行技術文献】
【特許文献】
【０００３】
【特許文献１】特開２００２−２５６８４号公報
【発明の概要】
【発明が解決しようとする課題】
【０００４】
しかしながら、前記従来の電線カバー付きコネクタ１では、電線７やコルゲートチューブ９より伝わってきた水がハウジング２の肉抜き溝２ｂに溜まってしまい、水を抜くことができない。
【０００５】
そこで、本発明は、前記した課題を解決すべくなされたものであり、電線等から伝わってきた水がハウジング側に浸入しようとしても外に排水することができる電線カバー付きコネクタを提供することを目的とする。
【課題を解決するための手段】
【０００６】
本発明は、電線に接続された端子が収容される端子収容室を有し、後面から電線を引き出すハウジングと、前記ハウジングの後面側に装着される筒状の電線カバーと、を備えた電線カバー付きコネクタであって、前記ハウジングの後面の前記端子収容室の開口部より下側から下面の後側にかけて連通する水抜き通路が設けられていることを特徴とする。
【発明の効果】
【０００７】
本発明によれば、電線等から伝わってきた水がハウジング側に浸入しようとしても水抜き通路を通して外に排水することができる。
【図面の簡単な説明】
【０００８】
【図１】本発明の一実施形態の電線カバー付きコネクタを示す斜視図である。
【図２】上記電線カバー付きコネクタの電線カバーを装着する前の状態を示す斜視図である。
【図３】上記電線カバー付きコネクタのハウジングの側面図である。
【図４】上記ハウジングの背面図である。
【図５】上記ハウジングの底面図である。
【図６】上記ハウジングの断面図である。
【図７】上記電線カバー付きコネクタの断面図である。
【図８】従来の電線カバー付きコネクタの分解斜視図である。
【図９】上記従来の電線カバー付きコネクタの断面図である。
【発明を実施するための形態】
【０００９】
以下、本発明の一実施形態を図面に基づいて説明する。
【００１０】
図１は本発明の一実施形態の電線カバー付きコネクタを示す斜視図、図２は電線カバー付きコネクタの電線カバーを装着する前の状態を示す斜視図、図３は電線カバー付きコネクタのハウジングの側面図、図４はハウジングの背面図、図５はハウジングの底面図、図６はハウジングの断面図、図７は電線カバー付きコネクタの断面図である。
【００１１】
図１、図２、図７に示すように、電線カバー付きコネクタ１０は、後面（背面）２１ｂから電線４０が引き出される合成樹脂製の雌ハウジング（ハウジング）２０と、雌ハウジング２０の後面２１ｂ側に装着される合成樹脂製で筒状の電線カバー３０と、を備えている。
【００１２】
図１〜図７に示すように、雌ハウジング２０は、電線４０に接続された雌端子（端子）４１が収容される２つの端子収容室２２を有したハウジング本体２１と、このハウジング本体２１の中央に一体突出形成され、内部に図示しない相手方の雄コネクタの雄ハウジングが嵌合される前面側と上面側が開口したフード部２３と、ハウジング本体２１の前側に嵌め込まれ、図示しない相手側の雄端子が差し込まれる端子挿入孔２４ａと雌端子４１を係止するランス２４ｂとを有する筒状のフロントホルダ２４と、を備えている。
【００１３】
図４、図６、図７に示すように、ハウジング本体２１の端子収容室２２には、後面２１ｂに設けられた端子収容室２２の円形の開口部２２ｂから電線４０の端末に接続された雌端子４１が収容され、各端子収容室２２と電線４０との間は、電線４０に装着されたゴム栓４２によりシールされる。尚、ハウジング本体２１の前面２１ａには、図示しない相手側の雄端子が差し込まれる端子挿入孔２２ａが端子収容室２２に連通するように形成されている。
【００１４】
また、図２に示すように、ハウジング本体２１の両側面２１ｃ，２１ｃの後端側には、カバー係止部としての凹状のカバー係止溝２５，２５が形成されている。また、ハウジング本体２１の天井面２１ｄには、相手方の雄ハウジングとの間を嵌合状態にロックするためのロックアーム２６が設けられている。このロックアーム２６の操作端２６ａは、フード部２３の上面開口の後側に設けられている。
【００１５】
さらに、ハウジング２０の下面２１ｅの後端には、カバー取付部としてのカバー取付突起２７が設けられている。このカバー取付突起２７の２つ端子収容室２２，２２の各開口部２２ｂの下側には、水抜き孔２８がカバー取付突起２７を貫通するように一対設けられている。この一対の水抜き孔２８，２８の間には、補強リブ２７ａが形成されていて、この補強リブ２７ａを境にして水抜き孔２８が分割形成されている。また、ハウジング２０の下面２１eの後側には、一対の水抜き孔２８，２８に連通する矩形で凹状の水抜き穴２９が一対設けられている。即ち、ハウジング本体２１の下面２１ｅの水抜き穴２９も補強リブ２７ａに対応する仕切壁２９ａを介して分割形成されている。これらカバー取付突起２７の水抜き孔２８とハウジング本体２１の下面２１ｅの水抜き穴２９とで水抜き通路Ａが構成されている。この水抜き通路Ａは、ハウジング本体２１の後面２１ｂの２つ端子収容室２２，２２の各開口部２２ｂの下側から下面２０ｅの後側にかけて連通するように設けられている。
【００１６】
図１、図２、図７に示すように、電線カバー３０は、ハウジング本体２１の両側面２１ｃ，２１ｃの凹状のカバー係止溝２５，２５に取り付けられる略半円筒状の本体カバー３１と、この本体カバー３１と合体して筒状となった状態でハウジング２０の下面２１ｅのカバー取付突起２７に取り付けられ、電線４０が貫通したコルゲートチューブ４５の前端側を覆う略半円筒状の蓋カバー３５と、本体カバー３１と蓋カバー３５との間に設けられたヒンジ３９と、を有している。
【００１７】
本体カバー３１の前側には、一対の取付部３２，３２が平行に垂直に延びるように一体形成されている。この各取付部３２の内側には、ハウジング本体２１の凹状のカバー係止溝２５に嵌め込まれるハウジング係止部としての凸状のハウジング係止突起３２ａが設けられている。また、本体カバー３１の内面には、コルゲートチューブ４５の蛇腹状の凹部４５ａに係止される凸部３３が設けられている。さらに、本体カバー３１のヒンジ３９と反対側の端部には、ロック穴３４が設けられている。
【００１８】
図７に示すように、蓋カバー３５の内面の前側には、ハウジング本体２１のカバー取付突起２７に嵌め込まれるハウジング取付部としての凹状のハウジング取付溝３６が設けられている。また、蓋カバー３５の内面には、コルゲートチューブ４５の蛇腹状の凹部４５ａに係止される凸部３７が設けられている。さらに、図２に示すように、蓋カバー３５のヒンジ３９と反対側の端部には、ロック穴３４にロックされるロック突起部３８が設けられている。尚、本体カバー３１と蓋カバー３５が合体して筒状になったときに、本体カバー３１の外側にある取付部３２の下端側に形成された切欠き部３２ｂに、蓋カバー３５の外側の前部に形成された段差部３６ａが嵌め込まれるようになっている。
【００１９】
以上実施形態の電線カバー付きコネクタ１０によれば、コルゲートチューブ４５や電線４０より伝わってきた水が雌ハウジング２０のハウジング本体２１の後面２１ｂ側に浸入しようとしても、その水は、ハウジング本体２１の後面２１ｂの端子収容室２２の開口部２２ｂより下側から下面２１ｅの後側にかけて連通する水抜き通路Ａを通って外部へ排出される。これにより、コルゲートチューブ４５や電線４０からの水浸入をハウジング本体２１の後面２１ｂ側で確実に防ぐことができる。
【００２０】
また、ハウジング本体２１のカバー取付突起２７に一対の水抜き孔２８，２８が形成されているが、この一対の水抜き孔２８，２８は補強リブ２７ａを境にして分割形成され、補強リブ２７ａで補強されているため、電線カバー３０が取り外す方向に引っ張られても、カバー取付突起２７が破損することはなく、カバー取付突起２７の強度が高められる。
【００２１】
尚、前記実施形態によれば、カバー取付突起の水抜き孔とハウジング本体の下面に凹状の水抜き穴をそれぞれ２つ形成したが、それぞれ１つ形成しても良い。
【００２２】
また、前記実施形態によれば、ハウジング本体の下面に凹状の水抜き穴を形成したが、ハウジング本体の下面側からカバー取付突起の水抜き孔にかけて連通する水抜き孔を形成しても良い。
【符号の説明】
【００２３】
１０  電線カバー付きコネクタ
２０  雌ハウジング（ハウジング）
２１ｂ  後面
２１ｅ  下面
２２  端子収容室
２２ｂ  開口部
２７  カバー取付突起
２７ａ  補強リブ
２８  水抜き孔（水抜き通路）
２９  水抜き穴（水抜き通路）
３０  電線カバー
４０  電線
４１  雌端子（端子）
Ａ  水抜き通路
【図１】
2020155305.tif 000003
【図２】
2020155305.tif 000004
【図３】
2020155305.tif 000005
【図４】
2020155305.tif 000006
【図５】
2020155305.tif 000007
【図６】
2020155305.tif 000008
【図７】
2020155305.tif 000009
【図８】
2020155305.tif 000010
【図９】
2020155305.tif 000011